【手続補正書】
【提出日】平成16年5月26日(2004.5.26)
【手続補正１】
【補正対象書類名】明細書
【補正対象項目名】全文
【補正方法】変更
【補正の内容】
【書類名】  明細書
【発明の名称】  枚葉紙印刷機における非接触式の枚葉紙案内装置
【特許請求の範囲】
【請求項１】  環状かつ扇形のスリットの形の横断面と、枚葉紙案内面から斜め下向きに降下している空気案内面とを有する少なくとも１つの空気吹き出しノズルが前記枚葉紙案内面内に設けられている、枚葉紙印刷機における非接触式の枚葉紙案内装置において、
前記環状かつ扇形のスリット（４）は、中心（７）が、前記枚葉紙案内面（１）の面内に形成されている前記空気吹き出しノズル（３）の開口の内部、好ましくは空気案内面（６）の上に位置する湾曲部（ρ）を有していることを特徴とする、非接触式の枚葉紙案内装置。
【請求項２】  環状かつ扇形のスリットの形の横断面を有する前記空気吹き出しノズル（３）は、前記環状かつ扇形のスリット（４）を案内板（２）の前記枚葉紙案内面（１）に向かい合うように形成している、前記枚葉紙案内面（１）に対して斜めに降下する前記空気案内面（６）を有するように形成されている、請求項１に記載の装置。
【請求項３】  前記空気吹き出しノズル（３）は、Ｕ字形の切り込み（４）と、該切り込み（４）の領域内での舌片（５）および前記空気案内面（６）の変形によって形成されている、請求項２に記載の装置。
【請求項４】  前記空気案内面（６）が、枚葉紙の走行方向に対して平行に位置する垂直の横断面内において前記枚葉紙案内面（１）と鈍角をなしている、前記空気吹き出しノズル（３）を備えている、請求項３に記載の装置。
【発明の詳細な説明】
【０００１】
【発明の属する技術分野】
本発明は、特許請求の範囲の請求項１の前提項に記載された枚葉紙印刷機における非接触式の枚葉紙案内装置、すなわち、環状かつ扇形のスリットの形の横断面と、枚葉紙案内面から斜め下向きに降下している空気案内面とを有する少なくとも１つの空気吹き出しノズルが前記枚葉紙案内面内に設けられている、枚葉紙印刷機における非接触式の枚葉紙案内装置に関する。
【０００２】
【従来の技術】
ドイツ特許ＤＥ−ＰＳ１９０７０８３により、案内板の中に、環状かつ扇形のスリットの形の横断面と、この案内板の表面に対して斜めに降下して、環状かつ扇形のスリットを案内面に向かい合うように形成している空気案内面とを有する空気吹き出しノズルが設けられているような装置が公知である。この公知の装置の各空気吹き出しノズルは舌片状の切込みとともに案内板の中に打ち抜かれており、そして案内面の上に浮いて移送されるべき枚葉紙に対して浅い角度で移送方向へ向かっている、方向が固定された空気の流れを作り出す。空気出口のところに、その流れている空気のための、形状的に狭まった部分がある。この絞り部にディフューザの役目をする外側へ広がる案内面が続き、そしてこの領域においてディフューザに典型的な負圧が生じてこれが枚葉紙をその舌片状の切り込みにより形成された案内面へ向かって吸い上げる。この吸い上げによって枚葉紙はもはや非接触では案内されない。結果として、擦過痕が生じ、そしてその枚葉紙の案内装置へ通ずる側に汚れを生ずる。ドイツ特許ＤＥ４１１３４６５Ａ１により公知の装置の作用も類似のものである。
【０００３】
【発明が解決しようとする課題】
本発明は、始めに記載した特徴を有する装置の空気吹き出しノズルを、出てきた吹き出し空気が、移送されるべき枚葉紙の下の一様な空気の流れに障害を与える負圧領域を示さず、かつ非接触の枚葉紙案内を保証するように形成するということを目的としている。
【０００４】
【課題を解決するための手段】
本発明によれば、この目的は、請求項１に記載の特徴を有する構成、すなわち、環状かつ扇形のスリットの形の横断面と、枚葉紙案内面から斜め下向きに降下している空気案内面とを有する少なくとも１つの空気吹き出しノズルが枚葉紙案内面内に設けられている、枚葉紙印刷機における非接触式の枚葉紙案内装置において、環状かつ扇形のスリットは、中心が、枚葉紙案内面の面内に形成されている空気吹き出しノズルの開口の内部、好ましくは空気案内面の上に位置する湾曲部を有していることを特徴とする、非接触式の枚葉紙案内装置によって達成される。
【０００５】
【発明の実施の形態】
これらの構成上の特徴を有する装置においては、その空気吹き出しノズルは、枚葉紙案内面内において、この案内面に対して斜めに降下する空気案内面によって形成されている環状かつ扇形のスリットの横断面を有する。
【０００６】
本発明の特徴により、ノズルの開口の内部に、空気案内面の面内において或る１点へ向かう流れが形成される。従ってそのスリット開口は単独ではもはやその空気の流れに対する絞り部の作用をしない。むしろ、その空気の流れが集束される点の周りの領域において流体力学上の狭隘部が生ずる。しかしながら、この部分では互いに反対方向の流れ成分が作用し、従ってデイフューザに典型的な、環状かつ扇形のスリットにより決定される絞り部の負圧領域による圧力低下を過圧の作用が相殺し、少なくとも、その輸送される枚葉紙の下の空気の流れに対してはもはや作用を起さない最少の範囲に限定する。
【０００７】
【実施例】
以下、本発明を添付の図面を参照して説明する。
【０００８】
空気の流れの上に非接触で浮動させて枚葉紙を案内するための枚葉紙案内面１が、案内板２の表面によって形成される。この案内板２の中に枚葉紙案内面１の上に分配されていくつかの空気吹き出しノズル３が互いに間隔を置いて配置されている。この実施例の場合には各空気吹き出しノズル３は案内板２の舌片状の切り込み４によって形成されており、これは図２の平面図に示すように枚葉紙走行方向へ、外側に広がる交線とともに広がっている。この切り込み４により形成された舌片状部分５は枚葉紙案内面１に対面して案内板２の面から変形されており、そして枚葉紙案内面１へ向かい上昇する空気案内面６を形成する。好ましくは、焦点の周りに半径方向へ延びる切り込み開口（環状かつ扇形のスリット４）が、枚葉紙を引き伸ばす脚部のところで終端し、そしてここで案内板２の変形部の方へ向かって空気案内面６を有する舌片状部分５へ移行する。別な実施形態として、図２に示すように、円弧によって互いに結合される外側に広がる脚部（Schenkel）を有する切込み部を設けることが可能である。これによって、中心７が流れ方向に見て出口開口の後方にある環状かつ扇形のスリットの形の空気吹き出しノズルが生ずる。従ってこの環状かつ扇形のスリットは、コンフューザ（Konfusor）の中又は前に配置されている出口開口を形成する。このコンフューザ領域８に続いて空気はディフューザ領域９を介して案内板へ導かれる。物理的に完全には避けることのできない負圧領域はノズルの開口スリットのところの極端に小さな範囲に限定される。この負圧領域のすぐ背後において空気吹き出しノズルの形状により流入領域内に過圧が形成され、そして負圧作用は著しく相殺される。
【０００９】
図１のIII−III断面内において、舌片状切り込み部４は種々異なった断面輪郭を有することができる。若干の例が図３に示されており、その際この断面輪郭は種々異なった要求に対して適合させることができる。図３（ａ）においては図１のIII−III断面における空気吹き出しノズルのＶ字形の断面輪郭が示されている。図３（ｂ）はIII−III断面における波形の輪郭を示す。これに対して、図３（ｃ）の断面輪郭は円弧状である。図３（ｄ）は、枚葉紙案内面１に対してほぼ等しい長さで延びる平坦な中央領域を有する舌片状部分の扁平な膨らみを示す。図２に示した外側に広がる脚部を有する切込部４の円弧状の輪郭の代わりにこの切込み部は場合により所望の目的を達成するために平面図においてＶ字形又はＵ字形に形成されていてもよい。
【図面の簡単な説明】
【図１】
舌片状の切込の変形によって形成された空気案内面を有する空気吹き出しノズルの枚葉紙走行方向に対して平行な縦断面図である。
【図２】
図１の構成による空気吹き出しノズルの部分の平面図である。
【図３】
空気吹き出しノズルの４つの例ａ、ｂ、ｃ及びｄの、図１のIII−III線に沿う横断面図である。
【符号の説明】
１  枚葉紙案内面
２  案内板
３  空気吹き出しノズル
４  切り込み
５  舌片状部分
６  空気案内面
７  中心
８  コンフューザ領域
９  デイフューザ領域
ρ  湾曲部